(57)【要約】【課題】伸縮を電気的に検出するセンサーを不要として、電源の有無によらず使用することが可能な装着ベルトの提供。【解決手段】装着ベルト１０は、近接状態と離間状態との切り替えが可能とされたこきかん１１Ａ（第１の端部）およびこきかん１２Ａ（第２の端部）と、これらのそれぞれに設けられ、近接状態と離間状態との切り替えにともない音を鳴らすマグネット１３Ｂ、１３Ｃ（音具）とを備える。また、装着ベルトは、こきかん１１Ａおよびこきかん１２Ａが腹部９０Ａの周長の拡大により離間することを許容しながらこの離間に抗する保存力を発生させ、もってこきかん１１Ａおよびこきかん１２Ａを互いに引き合わせる保存力発生手段１３を備える。【選択図】図３
2020204128.tif 000002
【特許請求の範囲】
【請求項１】
装着者の腹部上で当該腹部を取り囲むループを形成し、もって装着者に装着された装着状態とすることが可能とされた装着ベルトにおいて、
前記ループの経路中において、すきまを介して互いに対向した状態に位置される部材の端部であり、かつ、互いが近接された近接状態と互いが離間された離間状態との切り替えが可能とされた端部である第１の端部および第２の端部と、
前記第１の端部および前記第２の端部のそれぞれに設けられ、前記近接状態と前記離間状態との切り替えにともなって音を鳴らす音具と、
前記第１の端部および前記第２の端部が前記腹部の周長の拡大により離間することを許容しながらこの離間に抗する保存力を発生させ、もって前記第１の端部および前記第２の端部を互いに引き合わせる保存力発生手段と、
を備えている、
装着ベルト。
【請求項２】
請求項１に記載された装着ベルトであって、
前記保存力発生手段は、
前記すきまに架け渡されて前記第１の端部および前記第２の端部をつなぎ、もって前記第１の端部および前記第２の端部が離間することに抗する弾発力を保存力として発生させる弾性部材と、
前記第１の端部および前記第２の端部に設けられて互いを引き付けあう磁力を発生させることで、前記第１の端部および前記第２の端部が離間されることに抗する保存力を発生させるマグネットの組と、
を備えている、
装着ベルト。
【請求項３】
請求項２に記載された装着ベルトであって、
前記各マグネット間の距離が、当該各マグネットが磁力により互いを引き付けあうことが可能な距離範囲内となるように前記各マグネットの移動を規制する移動規制手段を備えている、
装着ベルト。
【請求項４】
請求項２または請求項３に記載された装着ベルトであって、
前記弾性部材は、少なくともその一部が、前記装着状態において前記腹部側となる裏側から前記音具を覆うように配設されている、
装着ベルト。
【請求項５】
請求項４に記載された装着ベルトであって、
前記弾性部材は、少なくともその一部が、前記裏側および当該裏側とは反対側となる表側の両側から前記音具をくるむように配設されている、
装着ベルト。
【発明の詳細な説明】
【技術分野】
【０００１】
本発明は、装着者の腹部上でループを形成することで装着状態とされる装着ベルトに関する。
【背景技術】
【０００２】
従来、伸縮に伴ってシグナルを発する装着ベルトを、装着者の腹部上にループを形成した状態に装着し、この腹部の周長の伸縮に伴って装着ベルトが発するシグナルを利用することがあった。このシグナルの利用は、例えば健康分野において被検体の腹部における周長の変動を管理する場合に行われることがある（特許文献１を参照）。あるいは、上記シグナルの利用は、例えば音楽の演奏における表現の幅を広げるために行われることがある（特許文献２を参照）。
【先行技術文献】
【特許文献】
【０００３】
【特許文献１】実用新案登録第３２０８８６６号公報
【特許文献２】特開平０３−２８８８９６号公報
【発明の概要】
【発明が解決しようとする課題】
【０００４】
しかし、上記特許文献１あるいは特許文献２に記載された従来の技術は、腹部の周長の伸縮をセンサーによって電気的に検出するものであり、電源が確保できない状況においては使用することができないものであった。
【０００５】
本発明は、腹部の周長に基づいてシグナルを発する装着ベルトにおいて、伸縮を電気的に検出するセンサーを不要として、電源の有無によらず使用することを可能とするものである。
【課題を解決するための手段】
【０００６】
本発明における１つの特徴によると、装着者の腹部上でこの腹部を取り囲むループを形成し、もって装着者に装着された装着状態とすることが可能とされた装着ベルトが提供される。この装着ベルトは、上記ループの経路中において、すきまを介して互いに対向した状態に位置される部材の端部であり、かつ、互いが近接された近接状態と互いが離間された離間状態との切り替えが可能とされた端部である第１の端部および第２の端部を備えている。また、装着ベルトは、第１の端部および第２の端部のそれぞれに設けられ、上記近接状態と上記離間状態との切り替えにともなって音を鳴らす音具を備えている。また、装着ベルトは、第１の端部および第２の端部が上記腹部の周長の拡大により離間することを許容しながらこの離間に抗する保存力を発生させ、もって第１の端部および第２の端部を互いに引き合わせる保存力発生手段を備えている。
【０００７】
上記の装着ベルトは、装着者の腹部における周長の変化にあわせて、第１の端部および第２の端部が近接状態と離間状態とに切り替わる際に、第１の端部および第２の端部のそれぞれに設けられた音具から音を鳴らす。したがって、装着ベルトは、腹部の周長に基づく音のシグナルを、伸縮を電気的に検出するセンサーによらず発することができる。ここで、第１の端部および第２の端部は、これら第１の端部および第２の端部が離間されることに抗する保存力により互いに引き合わされる。このため、第１の端部および第２の端部を互いに引き合わせるエネルギーの大きさは、腹部の周長およびその増減の度合いにのみ依存して変化する。これにより、音を鳴らす音具に与えられるエネルギーの大きさを腹部の周長およびその増減の度合いにのみ依存するものとして、音具が出す音のシグナルに定量性を持たせることができる。
【０００８】
上記の装着ベルトにおける好ましい実施形態では、保存力発生手段は、上記すきまに架け渡されて第１の端部および第２の端部をつなぎ、もって第１の端部および第２の端部が離間することに抗する弾発力を保存力として発生させる弾性部材を備えている。また、保存力発生手段は、第１の端部および第２の端部に設けられて互いを引き付けあう磁力を発生させることで、第１の端部および第２の端部が離間されることに抗する保存力を発生させるマグネットの組を備えている。
【０００９】
この場合、装着者の腹部の周長が減少されるときに、各音具は、マグネットの組が互いを引き付けあう磁力および弾性部材が発生させる弾発力の両方によって加速されて引き合わされる。ここで、弾性部材が発生させる弾発力の大きさは、第１の端部および第２の端部が離間されている度合いが大きくなるほど大きくなる。また、マグネットの組が互いを引き付けあう磁力の大きさは、上記腹部の周長の減少に伴い各マグネット間の距離が短くなるほど大きくなる。したがって、上記腹部の周長の減少にともない各音具が引き合わされるときに、第１の端部および第２の端部が離間されている度合いが大きい加速直後の状態と、各マグネットが互いに接触される直前の状態の両方において、各音具に与えられるエネルギーを大きくし、もってこれらの音具が鳴らす音の大きさを大きくすることができる。
【００１０】
上記実施形態においては、各マグネット間の距離が、この各マグネットが磁力により互いを引き付けあうことが可能な距離範囲内となるように各マグネットの移動を規制する移動規制手段を備えているものが好ましい。
【００１１】
この場合、各マグネットの間の距離が開いて、これらマグネットが、第１の端部および第２の端部が離間されることに抗する保存力を発生しなくなることを、移動規制手段によってさけることができる。
【００１２】
上記実施形態においては、弾性部材は、少なくともその一部が、上記装着状態において腹部側となる裏側から音具を覆うように配設されているものが好ましい。
【００１３】
この場合、互いに引き合わされる各音具の間に装着者の腹部の皮膚あるいはこの皮膚を覆う下着がはさまるおそれを、音具よりも腹部側となる位置に配設された弾性部材によって減らすことができる。
【００１４】
上記の場合においては、弾性部材は、少なくともその一部が、上記裏側およびこの裏側とは反対側となる表側の両側から音具をくるむように配設されているものが好ましい。
【００１５】
この場合、互いに引き合わされる各音具の間に装着者の腹部の皮膚あるいはこの皮膚を覆う下着がはさまるおそれを、音具よりも腹部側となる位置に配設された弾性部材によって減らすことができる。さらに、装着者が装着ベルトの上に着用する上着が互いに引き合わされる各音具の間にはさまるおそれを、音具に対して表側となる位置に配設された弾性部材によって減らすことができる。
【発明の効果】
【００１６】
本発明の装着ベルトは、伸縮を電気的に検出するセンサーが不要であり、電源の有無によらず、腹部の周長の伸縮に伴ってシグナルを発することができる。
【図面の簡単な説明】
【００１７】
【図１】本発明の一実施形態にかかる装着ベルト１０の使用状態を表した説明図である。
【図２】図１の装着ベルト１０の概略構成を表した説明図である。
【図３】図１のＩＩＩ部拡大図である。
【図４】図３のＩＶ−ＩＶ線断面矢視図である。
【発明を実施するための形態】
【００１８】
以下に、図面を用いて、本発明の一実施形態にかかる装着ベルト１０について説明する。この装着ベルト１０は、図１に示すように、装着者９０の腹部９０Ａ上でこの腹部９０Ａを取り囲むループを形成し、もって装着者９０に装着された装着状態とすることが可能とされた装着ベルトである。本実施形態においては、装着ベルト１０のループは、装着者９０のへそ９０Ｂの上を通り、かつ、腹部９０Ａをその横断面方向（横断面（transverse  plane）と平行になる周方向。図１では左右方向）に取り囲むように配される。
【００１９】
装着ベルト１０は、図２に示すように、それぞれが帯状に形成された第１のバンド１１と第２のバンド１２とをバックル１４により連結することでループを形成するようになっている。このバックル１４は、第１のバンド１１における片側の端に取り付けられるソケット１４Ａと、第２のバンド１２における片側の端に取り付けられるプラグ１４Ｂとを有して、これらプラグ１４Ｂとソケット１４Ａとを互いに係止させることで、装着ベルト１０のループを形成する。
【００２０】
本実施形態においては、バックル１４は、そのプラグ１４Ｂに備えられた２つの爪を互いに近づけることでこのプラグ１４Ｂとソケット１４Ａとの係止を解除するサイドリリースバックルである。また、本実施形態においては、バックル１４のプラグ１４Ｂは、このプラグ１４Ｂに取り付けられる第２のバンド１２の長さ調節を可能とするこきかんの構造を有している。
【００２１】
第１のバンド１１および第２のバンド１２は、それぞれ、バックル１４により連結される側とは反対側となる端部が、金属製のこきかん１１Ａ、１２Ａによって構成されている。これらのこきかん１１Ａ、１２Ａは、図３および図４に示すように、装着ベルト１０の装着状態において、この装着ベルト１０のループの経路中にすきま１０Ａを介して互いに対向した状態に位置される部材（第１のバンド１１および第２のバンド１２）の端部となる。また、こきかん１１Ａ、１２Ａは、互いが近接された近接状態と互いが離間された離間状態との切り替えが可能とされている。すなわち、こきかん１１Ａおよびこきかん１２Ａは、それぞれ、本発明における「第１の端部」および「第２の端部」に相当する。
【００２２】
また、こきかん１１Ａ、１２Ａは、それぞれ、装着ベルト１０の装着状態においてすきま１０Ａ側となる部分に、マグネット１３Ｂ、１３Ｃを備えている。これらマグネット１３Ｂ、１３Ｃは、こきかん１１Ａ、１２Ａが離間状態から近接状態に切り替えられる際に、互いに打ち合わせて音を鳴らす相互打奏（図３および図４の仮想線を参照）が可能とされている。すなわち、マグネット１３Ｂ、１３Ｃは、それぞれ、本発明における「音具」に相当する。
【００２３】
ところで、装着ベルト１０は、こきかん１１Ａおよびこきかん１２Ａが腹部９０Ａの周長の拡大により離間することを許容しながらこの離間に抗する保存力を発生させる保存力発生手段１３を備えている。ここで、「保存力」とは、例えば磁力などの、力を受けて移動する物体が受け取るエネルギーの大きさが、この物体の移動開始点および移動終了点によって規定され、これらの間の移動ルートによっては変化しない、という性質を有する力のことをいう。
【００２４】
保存力発生手段１３は、マグネット１３Ｂ、１３Ｃの各磁極の向きを、これらマグネット１３Ｂ、１３Ｃが互いを引き付けあう磁力を発生させるように設定する構成を含むものである。言いかえると、保存力発生手段１３は、こきかん１１Ａおよびこきかん１２Ａに設けられて互いを引き付けあう磁力を発生させることで、こきかん１１Ａおよびこきかん１２Ａが離間されることに抗する保存力を発生させるマグネット１３Ｂ、１３Ｃの組を備える。
【００２５】
また、保存力発生手段１３は、すきま１０Ａに架け渡されてこきかん１１Ａおよびこきかん１２Ａをつなぐ弾性部材１３Ａを備えている。この弾性部材１３Ａは、こきかん１１Ａおよびこきかん１２Ａが離間されることに抗する弾発力を保存力として発生させる。また、弾性部材１３Ａは、こきかん１１Ａおよびこきかん１２Ａをつなぐことで、これらこきかん１１Ａ、１２Ａに設けられるマグネット１３Ｂ、１３Ｃの移動を規制する。これにより、弾性部材１３Ａは、マグネット１３Ｂ、１３Ｃ間の距離が、これらマグネット１３Ｂ、１３Ｃが磁力により互いを引き付けあうことが可能な距離範囲内となるようにする。すなわち、弾性部材１３Ａは、本発明における「移動規制手段」に相当する。
【００２６】
本実施形態においては、弾性部材１３Ａは、帯状の編みゴムをつなぎ合わせて輪をなすようにしたものである。この輪は、その一部が、装着ベルト１０の装着状態において腹部９０Ａ側（図４では下側）となる裏側からマグネット１３Ｂ、１３Ｃを覆う。また、弾性部材１３Ａの輪は、その一部が、上記裏側とは反対側となる表側（図４では上側）からマグネット１３Ｂ、１３Ｃを覆う。すなわち、弾性部材１３Ａは、上記裏側と上記表側の両側からマグネット１３Ｂ、１３Ｃをくるむように配設されている。
【００２７】
上述した装着ベルト１０は、装着者９０の腹部９０Ａにおける周長の変化にあわせて、こきかん１１Ａおよびこきかん１２Ａが近接状態と離間状態とに切り替わる際に、こきかん１１Ａおよびこきかん１２Ａのそれぞれに設けられたマグネット１３Ｂ、１３Ｃから音を鳴らす。したがって、装着ベルト１０は、腹部９０Ａの周長に基づく音のシグナルを、伸縮を電気的に検出するセンサーによらず発することができる。ここで、こきかん１１Ａおよびこきかん１２Ａは、これらこきかん１１Ａおよびこきかん１２Ａが離間されることに抗する保存力により互いに引き合わされる。このため、こきかん１１Ａおよびこきかん１２Ａを互いに引き合わせるエネルギーの大きさは、腹部９０Ａの周長およびその増減の度合いにのみ依存して変化する。これにより、音を鳴らすマグネット１３Ｂ、１３Ｃに与えられるエネルギーの大きさを腹部９０Ａの周長およびその増減の度合いにのみ依存するものとして、マグネット１３Ｂ、１３Ｃが出す音のシグナルに定量性を持たせることができる。
【００２８】
また、上述した装着ベルト１０によれば、装着者９０の腹部９０Ａの周長が減少されるときに、各マグネット１３Ｂ、１３Ｃは、これらマグネット１３Ｂ、１３Ｃの組が互いを引き付けあう磁力および弾性部材１３Ａが発生させる弾発力の両方によって加速されて引き合わされる。ここで、弾性部材１３Ａが発生させる弾発力の大きさは、こきかん１１Ａおよびこきかん１２Ａが離間されている度合いが大きくなるほど大きくなる。また、マグネット１３Ｂ、１３Ｃの組が互いを引き付けあう磁力の大きさは、上記腹部９０Ａの周長の減少に伴い各マグネット１３Ｂ、１３Ｃ間の距離が短くなるほど大きくなる。したがって、上記腹部９０Ａの周長の減少にともない各マグネット１３Ｂ、１３Ｃが引き合わされるときに、こきかん１１Ａおよびこきかん１２Ａが離間されている度合いが大きい加速直後の状態と、各マグネット１３Ｂ、１３Ｃが互いに接触される直前の状態の両方において、各マグネット１３Ｂ、１３Ｃに与えられるエネルギーを大きくし、もってこれらのマグネット１３Ｂ、１３Ｃが鳴らす音の大きさを大きくすることができる。
【００２９】
また、上述した装着ベルト１０によれば、各マグネット１３Ｂ、１３Ｃの間の距離が開いて、これらマグネット１３Ｂ、１３Ｃが、こきかん１１Ａおよびこきかん１２Ａが離間されることに抗する保存力を発生しなくなることを、弾性部材１３Ａによってさけることができる。
【００３０】
また、上述した装着ベルト１０によれば、互いに引き合わされる各マグネット１３Ｂ、１３Ｃの間に装着者９０の腹部９０Ａの皮膚あるいはこの皮膚を覆う下着（図示せず）がはさまるおそれを、各マグネット１３Ｂ、１３Ｃよりも腹部９０Ａ側（図４では下側）となる位置に配設された弾性部材１３Ａによって減らすことができる。さらに、装着者９０が装着ベルト１０の上に着用する上着（図示せず）が互いに引き合わされる各マグネット１３Ｂ、１３Ｃの間にはさまるおそれを、マグネット１３Ｂ、１３Ｃに対して表側となる位置に配設された弾性部材１３Ａによって減らすことができる。
【００３１】
本発明は、上述した一実施形態で説明した外観、構成に限定されず、本発明の要旨を変更しない範囲で種々の変更、追加、削除が可能である。例えば、以下のような各種の形態を実施することができる。
【００３２】
（１）本発明の装着ベルトにおいて、音を鳴らす音具は、互いに打ち合わせて音を鳴らす相互打奏を行うものに限定されない。例えば、装着ベルトの音具を、第１の端部および第２の端部をつなぐ筒状の袋をなすベローズと、このベローズへの空気の出入りを許容する空気穴と、この空気穴に取り付けられて、空気の出入りに応じて音を出すリードとを備えた気鳴式の音具にすることができる。この場合、装着ベルトの音具は、その第１の端部および第２の端部が近接状態から離間状態に切り替えられる際にも音を鳴らすことができる。
【００３３】
（２）本発明の装着ベルトにおいて、弾性部材をなす編みゴムは、つなぎ合わせて輪をなすことで音具を表裏両側からくるむものに限定されず、端がつなぎ合わされない帯の状態で音具の表側または裏側の一方のみを覆うものとすることができる。また、弾性部材をなす編みゴムは、第１のバンドまたは第２のバンドに沿って延びる部分を有していてもよい。また、本発明の装着ベルトにおいて、弾性部材は編みゴムに限定されず、例えばばねなどの任意の弾性部材とすることができる。
【００３４】
（３）本発明の装着ベルトにおいては、第１の端部および第２の端部を構成するこきかんを、例えば角かんあるいはボールなどの任意のパーツに置き換えることができる。この場合において、第１の端部および第２の端部を構成するパーツは、それ自体がマグネットとして機能するものであってもよい。また、第１の端部および第２の端部を構成するパーツは、それ自体が音具として機能するものであってもよい。また、本発明の装着ベルトにおいては、他のパーツが設けられていないバンドの端部を第１の端部または第２の端部としてもよい。
【００３５】
（４）本発明の装着ベルトにおいて、マグネットの組の相対移動を規制する移動規制手段は、第１の端部および第２の端部をつなぐ弾性部材に限定されない。例えば、ひもあるいはくさりなどの、弾性部材として機能しない連結部材で第１の端部および第２の端部をつなぎ、もってこの連結部材を移動規制手段として機能させることができる。また、第１の端部および第２の端部を構成する各パーツを、スライドレールにこのスライドレール上でスライド可能となるように取り付ける構成のコネクターを、移動規制手段として機能させることができる。
【００３６】
（５）上述した一実施形態にかかる装着ベルト１０においては、バックル１４は、取り付けられるバンドの長さ調節を可能とする構造をプラグ１４Ｂのみに有している。しかしながら、本発明の装着ベルトにおいて、取り付けられるバンドの長さ調節を可能とする構造は、プラグおよびソケットのいずれにあってもよい。また、装着ベルトのバックルにおいて、取り付けられるバンドの長さ調節を可能とする構造は、プラグおよびソケットの両方がそれぞれ有するものであっても、プラグおよびソケットのいずれからも省略されたものであってもよい。
【００３７】
（６）本発明の装着ベルトにおいて、第１のバンドと第２のバンドとを連結するサイドリリースバックル（図２のバックル１４を参照）は、例えばフロントリリースバックルなどの、適宜選択した種類のバックルに置き換えることができる。また、本発明の装着ベルトにおいては、第１のバンドおよび第２のバンドを一体のバンドとして、バンドを連結するためのバックルを省略することもできる。
【００３８】
（７）本発明の装着ベルトにおいて、装着者の腹部を取り囲むループを形成するためのバンド（図２の第１のバンド１１および第２のバンド１２を参照）を、例えばひもあるいはくさりなどの、装着者の腹部を取り囲むループを形成することが可能な任意の部材に置き換えることができる。
【符号の説明】
【００３９】
１０    装着ベルト
１０Ａ  すきま
１１    第１のバンド
１１Ａ  こきかん（第１の端部）
１２    第２のバンド
１２Ａ  こきかん（第２の端部）
１３    保存力発生手段
１３Ａ  弾性部材（移動規制手段）
１３Ｂ  マグネット（音具）
１３Ｃ  マグネット（音具）
１４    バックル
１４Ａ  ソケット
１４Ｂ  プラグ
９０    装着者
９０Ａ  腹部
９０Ｂ  へそ
【図１】
2020204128.tif 000003
【図２】
2020204128.tif 000004
【図３】
2020204128.tif 000005
【図４】
2020204128.tif 000006